(57)【要約】【課題】シザーズ式伸縮構造を、簡単な構造で、運搬、収納及び展開が容易で展開時には安定した構造とする。【解決手段】伸長方向へ伸縮可能なシザーズ式伸縮橋１において、中央部分でピン結合された２本のフレーム部材２を含む複数のフレーム要素３がフレーム部材２の先端部で互いにピン結合された少なくとも一対のサイドフレーム４と、フレーム要素３において、２本のフレーム部材２の少なくとも一方側端部を互いに連結すると共に、収納時にはサイドフレーム４と共に折り畳まれ、伸長時には平坦となる床版部材５と、サイドフレーム４及び床版部材５の展開及び収納を補助する展開補助装置２３とを設ける。【選択図】図１
2014145203.tif 000002
【特許請求の範囲】
【請求項１】
伸長方向へ伸縮可能なシザーズ式伸縮構造であって、
中央部分でピン結合された２本のフレーム部材を含む複数のフレーム要素が該フレーム部材の先端部で互いにピン結合された少なくとも一対のサイドフレームと、
上記フレーム要素において、上記２本のフレーム部材の少なくとも一方側端部を互いに連結すると共に、収納時には上記サイドフレームと共に折り畳まれ、伸長時には平坦となる床版部材と、
上記サイドフレーム及び上記床版部材の展開及び収納を補助する展開補助装置とを備えている
ことを特徴とするシザーズ式伸縮構造。
【請求項２】
請求項１に記載のシザーズ式伸縮構造において、
上記床版部材は、伸長時に橋桁となる
ことを特徴とするシザーズ式伸縮構造。
【請求項３】
請求項１に記載のシザーズ式伸縮構造において、
上記床版部材は、仮設住宅又は仮設テントの床を構成し、
伸長時に少なくとも上記サイドフレームは、外気との仕切を構成する膜で覆われる
ことを特徴とするシザーズ式伸縮構造。
【請求項４】
請求項１乃至３のいずれか１つに記載のシザーズ式伸縮構造において、
上記サイドフレームの下端側が複数のポンツーンに支持され、伸長時に隣接するポンツーン間の距離を広げることで伸長される
ことを特徴とするシザーズ式伸縮構造。
【請求項５】
請求項１乃至３のいずれか１つに記載のシザーズ式伸縮構造において、
トレーラの荷台に載置され、
上記荷台を設置した場所で伸長される
ことを特徴とするシザーズ式伸縮構造。
【請求項６】
請求項１乃至５のいずれか１つに記載のシザーズ式伸縮構造において、
上記展開補助装置は、
上記サイドフレーム及び床版部材の展開開始時に展開を補助する展開用シリンダと、
上記サイドフレーム及び床版部材の自重による展開の速度を調整する展開速度調整手段とを備えている
ことを特徴とするシザーズ式伸縮構造。
【請求項７】
請求項１乃至６のいずれか１つに記載のシザーズ式伸縮構造において、
上記フレーム部材及び上記床版部材は、軽金属中空部材よりなる
ことを特徴とするシザーズ式伸縮構造。
【請求項８】
請求項１に記載のシザーズ式伸縮構造において、
上記フレーム部材間に、展開時に太陽光を集光するミラー又は太陽電池を有する太陽光パネルが配置された太陽光又は太陽熱利用システムである
ことを特徴とするシザーズ式伸縮構造。
【発明の詳細な説明】
【技術分野】
【０００１】
本発明は、シザーズ構造を含むシザーズ式伸縮構造に関するものである。
【背景技術】
【０００２】
従来より、台風や梅雨の大雨、ゲリラ豪雨、津波などによって、橋が流される事象が数多く発生し、橋を迅速に復旧させる技術が求められている。また、小さな橋でも建設コストを抑えるために、橋を短期に建設することは重要なことである。
【０００３】
従来は、災害現場であれば、民間の工事用車両を通行可能とするため、重厚な鋼鉄製の仮設桁橋やトラス橋が運搬され、現場の状況に応じた組立で架設されてきた。災害に限らず、張出し工法やベント支持工法、押出し工法による構造物の架設方法は一般的であり、その架設の工期も数日はかかっていた。
【０００４】
ところで、特許文献１のようなせん断補強用展開型シザーズリンクが知られている。このシザーズリンクは、運搬、保管等の時は嵩張らず使用時には展開して所望の構成及び長さとすることができる。
【先行技術文献】
【特許文献】
【０００５】
【特許文献１】特開平１１−２１０１６１号公報
【発明の概要】
【発明が解決しようとする課題】
【０００６】
特許文献１のようなシザーズ（はさみ）機構は、従来より橋などの大型の建造物には適用されにくかった。その理由として、機能に対する効用が少なく、制御装置を伴うために製造コストが割高となる、構造体として制御部材を入れないと不安定な構造体になりかねない、一方向は堅牢な剛性を持つがそれと異なる方向はぜい弱な剛性となりがちである等という点が考えられる。また、部材交差部のヒンジ部（ピボット）の存在による応力集中や摩耗など構造強度に対する保証が設計上難しいという問題がある。
【０００７】
本発明は、かかる点に鑑みてなされたものであり、その目的とするところは、簡単な構造で、運搬、収納及び展開が容易で展開時には安定した構造となるシザーズ式伸縮構造を得ることにある。
【課題を解決するための手段】
【０００８】
上記の目的を達成するために、この発明では、収納可能な床版部材によって展開完了時の安定を得るようにした。
【０００９】
具体的には、第１の発明では、
伸長方向へ伸縮可能なシザーズ式伸縮構造を対象とする。
【００１０】
そして、上記シザーズ式伸縮構造は、
中央部分でピン結合された２本のフレーム部材を含む複数のフレーム要素が該フレーム部材の先端部で互いにピン結合された少なくとも一対のサイドフレームと、
上記フレーム要素において、上記２本のフレーム部材の少なくとも一方側端部を互いに連結すると共に、収納時には上記サイドフレームと共に折り畳まれ、伸長時には平坦となる床版部材と、
上記サイドフレーム及び上記床版部材の展開及び収納を補助する展開補助装置とを備えている。
【００１１】
上記の構成によると、展開補助装置によって、サイドフレームが床版部材と共に展開される。サイドフレームは、床版部材が平坦になると伸長を停止し安定する。その状態で、仮設橋、仮設住宅、仮設テント等の構造物が形成される。床版部材は、剛性の確保だけでなく、定尺のストッパーとしての役割も果たす。逆に収納時には、床版部材をサイドフレームと共に折り畳めばよく、収納した状態での運搬が極めて容易である。
【００１２】
第２の発明では、第１の発明に加え、
上記床版部材は、伸長時に橋桁となる。
【００１３】
上記の構成によると、床版部材が安定した橋桁となり、その上を自動車、人等が通過できるようになる。このため、災害時に災害現場に持ち込んで橋を迅速に復旧させることができ、撤去も容易である。
【００１４】
第３の発明では、第１の発明に加え、
上記床版部材は、仮設住宅の床を構成し、
伸長時に少なくとも上記サイドフレームは、外気との仕切を構成する膜で覆われる。
【００１５】
上記の構成によると、伸長時に少なくともサイドフレームの周りを膜で覆えば、迅速に仮設住宅や仮設テントを設置できるので、例えば災害現場で雨風を容易にしのぐことができ、撤去も容易である。
【００１６】
第４の発明では、第１乃至第３のいずれか１つの発明において、
上記サイドフレームの下端側が複数のポンツーンに支持され、伸長時に隣接するポンツーン間の距離を広げることで伸長される。
【００１７】
上記の構成によると、ポンツーンを連結して水面上を曳航し、現場でポンツーン間の距離を広げて床版部材を水平にすれば、水面上に仮設橋、仮設住宅等を容易に設置することができる。
【００１８】
第５の発明では、第１乃至第３のいずれか１つの発明に加え、
トレーラの荷台に載置され、
上記荷台を設置した場所で伸長される。
【００１９】
上記の構成によると、収納状態のシザーズ式伸縮構造をトレーラの荷台に積んで運搬し、現場で荷台を設置して展開することにより、仮設橋、仮設住宅等を極めて迅速且つ容易に設けることができる。撤去時も収納してトレーラで運び出せばよい。
【００２０】
第６の発明では、第１乃至第５のいずれか１つの発明において、
上記展開補助装置は、
上記サイドフレーム及び床版部材の展開開始時に展開を補助する展開用シリンダと、
上記サイドフレーム及び床版部材の自重による展開の速度を調整する展開速度調整手段とを備えている。
【００２１】
上記の構成によると、展開用シリンダによってサイドフレーム及び床版部材の展開を開始し、その後は、自重でサイドフレーム及び床版部材が展開する。その後は、展開速度調整手段によって、急激に展開が行われることなく、安定して展開が行われるので、安全が確保される。
【００２２】
第７の発明では、第１乃至第６のいずれか１つの発明において、
上記フレーム部材及び上記床版部材は、軽金属中空部材よりなる。
【００２３】
上記の構成によると、軽量であるため、運搬が容易であり、アルミニウム合金、マグネシウム合金などの高強度のものとすることで、強度確保も容易である。
【００２４】
第８の発明では、第１の発明において、
上記フレーム部材間に、展開時に太陽光を集光するミラー又は太陽電池を有する太陽光パネルが配置された太陽光又は太陽熱利用システムである。
【００２５】
上記の構成によると、展開、収納及び運搬が極めて容易であるあるため、台風、暴風などの非常時に容易に折り畳んで収納できる。
【発明の効果】
【００２６】
以上説明したように、本発明によれば、簡単な構造で、運搬、収納及び展開が容易で展開時には安定した構造となるシザーズ式伸縮構造を得ることができる。
【図面の簡単な説明】
【００２７】
【図１】本発明の実施形態１に係るシザーズ式伸縮橋の伸長状態を示す正面図である。
【図２】シザーズ式伸縮橋の起立した伸長前の状態を示す側面図である。
【図３】シザーズ式伸縮橋の起立した伸長前の状態を示す平面図である。
【図４】収納時を示す図１相当図である。
【図５】起立した伸長前を示す図１相当図である。
【図６】伸長した連鎖シザーズを示す正面図である。
【図７】伸長した連鎖シザーズを示す平面図である。
【図８】一対の床版部材を示す正面図であり、（ａ）が伸長時を、（ｂ）が縮小開始時を、（ｃ）が縮小時をそれぞれ示す。
【図９】伸縮ユニットの側面図を示し、（ａ）が伸長時を、（ｂ）が縮小時を示す。
【図１０】変形例１に係る吊り橋による展開例の概略を示す正面図である。
【図１１】変形例２に係るポンツーンによる展開例の概略を示し、（ａ）が収納時の正面図であり、（ｂ）が展開中の正面図である。
【図１２】変形例３に係るトレーラの荷台上のシザーズ式伸縮橋を示す正面図である。
【図１３】実施形態２に係る展開した仮設住宅を示す斜視図である。
【図１４】実施形態３に係る展開した太陽光（熱）利用システムを示す斜視図である。
【図１５】実施形態３に係る収納した太陽光（熱）利用システムを示す斜視図である。
【図１６】実施形態３の変形例に係る展開した太陽光（熱）利用システムを示す斜視図である。
【発明を実施するための形態】
【００２８】
以下、本発明の実施形態を図面に基づいて説明する。
【００２９】
（実施形態１）
図１は本発明の実施形態１のシザーズ式伸縮構造としてのシザーズ式伸縮橋１の伸長状態を示し、図４は、このシザーズ式伸縮橋１の収納時を示し、図２、図３及び図５は、起立後でかつ伸長前の状態を示す。このシザーズ式伸縮橋１は、伸長方向へ伸縮可能に構成されている。具体的には、図６及び図７にも示すように、このシザーズ式伸縮橋１は、中央部分でピン結合された２本のフレーム部材２を含む複数のフレーム要素３が、フレーム部材２の先端部で互いにピン結合された少なくとも一対のサイドフレーム４を備えている。各サイドフレーム４は、偶数本のフレーム部材２を備え、互いに平行に配置されている。フレーム部材２は、例えば軽量で剛性の高い中空のアルミニウム合金押出材よりなり、中央と両端にピン挿通孔２ａが開口され、軽量化のための貫通孔２ｂも複数設けられている。なお、図１〜図５では、簡略化のためにフレーム部材２等の個数は限定して書かれているが、その個数は限定されない。
【００３０】
図６に示すように、１つのフレーム要素３には、２本のフレーム部材２が含まれ、互いに中央のピン挿通孔２ａに水平に延びる中心軸２ｃを通すことで、この中心軸２ｃを中心にそれぞれの２本のフレーム部材２が、はさみのように揺動可能に連結されている。
【００３１】
さらに、上下に配置される端部のピン挿通孔２ａには、それぞれシザーズ式伸縮橋１の幅方向に延びる水平軸２ｅが連結されている。このことで、伸長方向に隣接される他のフレーム要素３に連結されると共に、幅方向に対向して配置されるフレーム要素３にも連結されている。
【００３２】
そして、各フレーム要素３において、下側端部の水平軸２ｅには、伸長方向に長い矩形板状の床版部材５が連結されている（図２及び図３では簡略化のために省略）。床版部材５は、例えば中空のマグネシウム合金、アルミニウム合金等の押出材、成形品を構造部材として有する。そして、例えば図８にも示すように、一対の床版部材５の一方において、それぞれ伸長方向一端が水平軸２ｅに回動可能に連結され、他端に設けたヒンジ部５ａが、伸長時に水平軸２ｅに引っ掛かることで固定されるようになっている。伸長時には、隣接する床版部材５が水平に連続するように複数の床版部材５が配置され、水平となった時に橋桁の役割を果たし、その上を歩行者や車両が通行可能となっている。なお、伸長時に全ての床版部材５が平坦となるのが理想であるが、多少互いに傾斜があってもよい。本実施形態では、幅方向に一対の床版部材５を設け、その間隔を自動車のタイヤの幅（車幅）に合わせることで、車両が床版部材５上を通行可能となっている。なお、幅方向一対の床版部材５は、図７に示すように、例えばＸ字状に配置した対傾材５ｂに連結されて補強されているが、この対傾材５ｂはなくてもよい。図９（ａ）に示すように、例えば伸長時に１台の普通自動車Ｃが伸長した連鎖シザーズ６内を通過可能となっている。なお、連鎖シザーズ６の幅方向のサイズを大きくして複数の普通自動車Ｃが同時に通過できるようにしてもよく、その場合には、少なくとも普通自動車Ｃのタイヤの部分に床版部材５を複数平行に設ければよい。
【００３３】
一方で、図８（ｃ）及び図９（ｂ）にも示すように、縮小時には床版部材５は、フレーム部材２と共に、このフレーム部材２と干渉しないようにして折り畳まれるようになっている。
【００３４】
シザーズ式伸縮橋１では、このようなフレーム部材２及び床版部材５を含むフレーム要素３が設置場所に合わせて複数連結されている。なお、図面では、フレーム要素３の数を限定して記載しているが、実際にはそれよりも多くのフレーム要素３を繋ぐことができる。図１等に示すように、これらの複数のフレーム部材２及び床版部材５よりなるフレーム要素３を含む連鎖シザーズ６の一端が架台フレーム１０に固定されている。架台フレーム１０は、シザーズ式伸縮橋１の設置面Ｐに設置されるものであり、側面視Ｌ字状に組まれた例えば溶接構造物よりなり、展開時に垂直となる部分にフレーム部材２の伸長方向を定めるレールのガイド部材１１を備えている。詳しくは図示しないが、この上下に延びるガイド部材１１内を最も基端側のフレーム部材２に設けたローラ１１ａが上下に移動し、各フレーム要素３の伸長方向を制御するようになっている。
【００３５】
架台フレーム１０は、伸長方向に長い矩形枠状のベース１２に起伏可能に連結されている。具体的には、ベース１２の伸長方向基端側に起伏シリンダ１３の一端が連結され、この起伏シリンダ１３の他端が架台フレーム１０に連結されている。架台フレーム１０の基端側は、ベース１２の回動軸１２ａに回動可能に連結されている。これにより、起伏シリンダ１３の伸縮動作に伴って架台フレーム１０がベース１２に対して起伏可能となっている。
【００３６】
ベース１２の伸長方向先端側には、架台フレーム１０を連結して固定するための固定部１８が設けられている。固定部１８の有無やその形状は、特に限定されない。
【００３７】
シザーズ式伸縮橋１は、連鎖シザーズ６の展開及び収納を補助する展開補助装置２３を備えている。具体的には、架台フレーム１０の幅方向両側には、展開速度調整手段としてそれぞれ展開速度調整用シリンダ１４が設けられており、これらの展開速度調整用シリンダ１４が連鎖シザーズ６の展開及び収納を補助するように構成されている。例えば、展開速度調整用シリンダ１４の先端には、第１スプロケット１５が設けられており、展開速度調整用シリンダ１４を伸縮させることで架台フレーム１０の下側に固定した第２スプロケット１６との間の距離を変更可能となっている。第１スプロケット１５及び第２スプロケット１６には、展開用チェーン１７が掛けられており、この展開用チェーン１７の一端が架台フレーム１０に固定され、他端が伸長方向基端側から２番目のフレーム部材２の先端に連結されている。
【００３８】
また、展開補助装置２３は、例えば１本の展開用シリンダ１９を備えている。展開用シリンダ１９のシリンダチューブがベース１２に固定され、ロッド先端には、垂直に延びるアーム１９ａが突設されている。このアーム１９ａが、展開用シリンダ１９の縮小時に伸長方向基端側から２番目の水平軸２ｅを伸長方向に押し出すことで、連鎖シザーズ６の伸長が開始される。その後は、自重により連鎖シザーズ６が展開されるようになっている。
【００３９】
自重による伸長時には、展開用チェーン１７が引っ張られ、展開速度調整用シリンダ１４が伸長してサイドフレーム４が開くのを許容する。このときの展開速度調整用シリンダ１４からの作動油の流量を図示しない油圧機器で制御することで、展開速度が調整されるようになっている（いわゆるメータアウト制御）。なお、収納時には、展開速度調整用シリンダ１４に作動油を送り込んで強制的に縮小させて展開用チェーン１７を引きつけて開いたフレーム部材２を閉じるようにしてもよい。展開用チェーン１７の掛け数を調整することで、展開速度調整用シリンダ１４のストロークが制限されている場合でも、展開用チェーン１７の進む速さや距離を調整することができる。
【００４０】
例えば、起伏シリンダ１３、展開速度調整用シリンダ１４及び展開用シリンダ１９の油圧源として、例えば図示しない電動の油圧ユニットを別途用意すればよい。
【００４１】
そして、架台フレーム１０の上端には、展開用シーブ２０が設けられ、設置面Ｐに載置した手動式ウインチ２１のワイヤー２２が展開用シーブ２０に掛けられ、このワイヤー２２の先端が伸長方向最先端のフレーム部材２の一端に連結されている。例えば、連鎖シザーズ６の自重で伸長が行われるような場合、手動式ウインチ２１を繰り出すことによっても、連鎖シザーズ６の自重による展開速度を調整できるので、展開速度調整手段として用いることもできる。手動式ウインチ２１は、油圧式や電動式で構成してもよいが、手動式であれば、人力でも展開できる点で有利である。電動式ウインチであれば、車のバッテリを利用することもできる。
【００４２】
次に、実施形態１のシザーズ式伸縮橋１の作動について説明する。
【００４３】
まず、図４に示す収納状態では、架台フレーム１０がベース１２の伸長方向基端側に固定されている。起伏シリンダ１３、展開速度調整用シリンダ１４及び展開用シリンダ１９は、縮小状態である。これらを縮小状態に保つことで、収納状態を維持可能に構成することもできる。なお、別途収納状態を維持するためのロック装置が設けられていてもよい。このコンパクトに収容された状態で、トレーラ、船舶、大型ヘリコプター等で運搬が可能となる。
【００４４】
次いで、別途用意した油圧ユニットを起伏シリンダ１３、展開速度調整用シリンダ１４及び展開用シリンダ１９に連結する。
【００４５】
次いで、起伏シリンダ１３を徐々に伸長させ、図５に示すように、架台フレーム１０を起立させる。この状態では、連鎖シザーズ６は縮小されたままであり、床版部材５は、図８（ｃ）及び図９（ｂ）に示すように折り畳まれている。
【００４６】
次いで、展開用シリンダ１９に作動油を送り込んで徐々に伸長させる。すると、展開用シリンダ１９のアーム１９ａによって水平軸２ｅが強制的にスライド移動されると共に、展開用チェーン１７が繰り出される。同時に、手動式ウインチ２１からワイヤー２２が繰り出される。展開速度調整用シリンダ１４のチューブロッド側から吐出される作動油の量を調整することで、展開速度が制御される。これにより、全てのフレーム部材２間の間隔が徐々に広がると共に、床版部材５が水平軸２ｅを中心に回動する。このようにして、サイドフレーム４及び床版部材５が一気に広がることなく安定して徐々に延びていく。
【００４７】
そして、図８（ａ）に示すように、床版部材５のヒンジ部５ａが水平軸２ｅに係合して平坦になると伸長が停止し安定する。このとき、床版部材５が定尺長のストッパーとしての役割を果たす。その状態で、仮設橋が形成される。これにより、床版部材５が安定した橋桁となり、図９（ａ）のように普通自動車Ｃや人が通行可能となる。このため、災害時に災害現場に持ち込んで橋を迅速に復旧させることができ、撤去も容易である。
【００４８】
逆に収納時には、例えば手動式ウインチ２１を手動で巻き取り、又は展開速度調整用シリンダ１４を強制的に縮小させながら、図８（ｂ）及び（ｃ）に示すように、床版部材５をサイドフレーム４と共に折り畳めばよく、展開及び収納が容易である。このような手動式の手動式のウインチを用いれば、人力でも展開及び収納を行える。
【００４９】
本実施形態では、フレーム部材２及び床版部材５は、アルミニウム合金、マグネシウム合金等よりなる軽量且つ剛性の高い構造であるため、運搬が容易であると共に、強度確保も容易である。
【００５０】
したがって、本実施形態に係るシザーズ式伸縮橋１によると、簡単な構造で、運搬、収納及び展開が容易で展開時には安定した構造となるシザーズ式伸縮橋１を得ることができる。
【００５１】
本実施形態のシザーズ式伸縮橋１は、予め工場等で製作されるので品質と完成度が高く、コンパクトに折り畳むことができるので、運搬等が極めて容易である。
【００５２】
また、災害現場での困難な復旧施工にも対応策の選択肢を増やすことができ、現場適合性を向上させることができる。
【００５３】
また、老朽化してきた橋の寿命を延命的に修理する際に、通常、主桁等の主構部の大掛かり補修工事では、橋が通行止となって問題となる。しかし、本実施形態の連鎖シザーズ６を有するシザーズ式伸縮橋１を用いれば、車両制限を行った上で、橋本体の伸縮構造体を利用して橋脚又は橋台上の反力が取れる個所にて固定し、橋を暫定的に補強することによって、老朽化した橋の負担を緩和することができると共に、その橋の補修も同時に行える利点が生まれる。
【００５４】
また、漁港や港湾の桟橋に本実施形態を利用する価値は大きい。つまり、桟橋利用の制限、台風、高潮等による損傷を避けることができ、橋を利用するときだけに架設できることは管理者や利用者にとって利便性がある。
【００５５】
さらに、中低層ビル火災等で避難路を確保する場合に、隣のビルまでに避難橋が架けられるように本実施形態を備えていれば、非常時にその効果は大きい。
【００５６】
−変形例１−
図１０は、実施形態１の変形例１に係るシザーズ式伸縮橋１０１の吊り橋１３０による展開例の概略を示す正面図である。なお、以下の各変形例及び実施形態２，３では、図１〜図９と同じ部分については同じ符号を付してその詳細な説明は省略する。
【００５７】
本変形例では、例えば連鎖シザーズ６の一端側を一方の吊り橋１３０に固定しておき、他端に設けた展開用シーブ１２０にワイヤー１２２を掛け、その先端側を他方の吊り橋１３０の展開用シーブ１２０に掛け、先端をクレーンやウインチで引っ張ることで連鎖シザーズ６が伸長し、その他端側を他方の吊り橋１３０に固定すれば、シザーズ式伸縮橋１０１が仮設される。
【００５８】
他方の吊り橋１３０の展開用シーブ１２０にワイヤー１２２を掛けずに直接クレーン等でワイヤー２２を引っ張ってもよい。
【００５９】
このように構成すれば、これまで現場で問題であった本体の仮組立や橋の長さ分の仮設ヤードは必要なく、押出し工法等による特殊な装置や慎重なバランスを保持することなく、クレーンで短時間に橋の主要な本体を架設することが可能である。
【００６０】
−変形例２−
図１１は、実施形態１の変形例２に係るポンツーン２３０によるシザーズ式伸縮橋２０１の展開例の概略を示し、（ａ）が収納時の正面図であり、（ｂ）が展開中の正面図である。
【００６１】
サイドフレーム４の下端側が複数のポンツーン２３０（底が平らな舟であり、平底舟、橋脚舟ともいう）に支持され、伸長時に隣接するポンツーン２３０間の距離を広げることで連鎖シザーズ６が伸長される。
【００６２】
本変形例では、図１１（ａ）のように、ポンツーン２３０を連結して水面２３１上をタグボートなどで曳航し、現場でポンツーン２３０間の距離を広げて床版部材５を水平にして連結すれば、水面２３１上に図１１（ｂ）のように、仮設橋を容易に設置することができる。このとき、橋脚は不要である。
【００６３】
このように、複数のポンツーン２３０間を、連鎖シザーズ６で連鎖して容易に河川又は港湾に渡橋システムを構築することも可能となる。いくつかのポンツーン２３０をコンパクトに集約させることによって、それ自体大きな舟橋システムを容易に構築できる。このシステムで大規模洪水での避難路の確保も可能である。
【００６４】
本変形例の応用として、船上から着岸の目的で「渡し」が必要な場合（特に、港湾施設も大きく被災した震災を想定した場合）に、船上にコンパクトな連鎖シザーズ６が装備されていると、機動的な運用が可能となるとともに、船から別の船に移動する場合にも、安全に渡ることが可能となる。
【００６５】
−変形例３−
図１２は、実施形態１の変形例３に係るトレーラ３３０の荷台３３１上にシザーズ式伸縮橋１を設けた状態を示す正面図である。
【００６６】
本変形例では、架台フレーム１０を含むベース１２が、トレーラ３３０の荷台３３１に載置されている。この荷台３３１を現場までトレーラ３３０で運び、荷台３３１を設置した場所で伸長される。
【００６７】
このように本変形例では、収納状態のシザーズ式伸縮橋１をトレーラ３３０の荷台３３１に積んで運搬し、現場で荷台３３１を設置して展開することにより、架台フレーム１０等を地盤に降ろすことなく、仮設橋を極めて迅速且つ容易に設けることができる。
【００６８】
このとき荷台３３１は、シザーズ式伸縮橋１のカウンターウェイト及びアンカーの役割を果たすので、アウトリガーなどを設けておくのが望ましい。
【００６９】
（実施形態２）
図１３は、本発明の実施形態２のシザーズ式伸縮構造としての仮設住宅４０１を示し、シザーズ式伸縮構造の用途が異なる点で上記実施形態１と異なる。
【００７０】
本実施形態の仮設住宅４０１は、上記実施形態１と同様の連鎖シザーズ６を備えている。本実施形態では、架台フレーム１０、展開補助装置２３等の構成は必ずしも必要ではない。
【００７１】
本実施形態では、伸長された床版部材５が、仮設住宅４０１の床を構成する。上記実施形態１のように平行な床版部材５間に隙間がある場合、その上に平坦な断熱板等を設ければよい。
【００７２】
そして、伸長時にサイドフレーム４間及び天井が外気との仕切を構成する膜４３０で覆われる。また両側面も膜４３１で覆われている。これらの膜４３０，４３１は、例えばトラックの荷台に配置される蛇腹状の幌（図示せず）のような構成とすればよく、防水、断熱、防音構造とすることで、居住性が確保される。膜４３０，４３１は、図１３のようにサイドフレーム４の内側に配置してもよいが、サイドフレーム４の外側に配置してもよい。いずれの場合にも、収納時にサイドフレーム４及び床版部材５との干渉を考慮して配置するとよい。
【００７３】
本実施形態においても、伸長時にサイドフレーム４の周りを膜４３０で覆えば、迅速に仮設住宅４０１を建築できるので、例えば災害現場で雨風を容易にしのぐことができ、撤去も容易である。
【００７４】
なお、側方の膜４３１を設けなければ、簡易テント、駐車テントなどの仮設テントとしての利用も可能となる。
【００７５】
（実施形態３）
図１４及び図１５は、本発明の実施形態３のシザーズ式伸縮構造としての太陽光又は太陽熱を利用する太陽光（熱）利用システム５０１を示し、シザーズ式伸縮構造の用途が異なる点で上記実施形態１及び２と異なる。
【００７６】
すなわち、本実施形態では、フレーム部材５間に湾曲したミラー５３０が配置されている。そして、図１４に示す展開時にミラー５３０で集光した太陽光がその手前の水平軸２ｅに集光されるようになっている。この水平軸２ｅに熱水パイプを設けて集めた熱エネルギーを利用することができる。このミラー５３０を取り付けたユニットを連鎖シザーズ６の伸長方向に並べることができる。そして、図１５に示すように、収納時にミラー５３０が他の部材と干渉しないようにするとよい。本実施形態の床版５０５は、車両や人が通過することはないので、簡易で軽量なものとすればよい。
【００７７】
また、図１６に示すように、幅方向に例えば３枚のミラー５３０を並列に並べることもできる。そして、太陽の位置に合わせて向きを変えられるようにしてもよい。
【００７８】
一方、ミラー５３０の代わりに太陽電池を含む太陽光パネルを用いてもよい。この場合には、熱水パイプの代わりに発生した電気を利用するための配線を設ければよい。
【００７９】
このように構成することで、台風、暴風などの非常時に容易に折り畳んで収納できる。また、展開、収納及び運搬が極めて容易となる。
【００８０】
（その他の実施形態）
本発明は、上記実施形態について、以下のような構成としてもよい。
【００８１】
すなわち、上記実施形態１では、展開補助装置２３として、展開用チェーン１７を利用した展開速度調整用シリンダ１４について説明したが、特に小型のシザーズ式伸縮橋１であれば、展開用チェーン１７及び展開速度調整用シリンダ１４を設けずに、手動式ウインチ２１のみで展開及び収納を行うこともできる。
【００８２】
なお、フレーム部材２及び床版部材５，５０５は、アルミニウム合金、マグネシウム合金であれば、軽量で有利であるが、他のステンレス鋼板、高強度鋼板などの金属で構成してもよい。
【００８３】
また、上記実施形態１では、一対の床版部材５を、ヒンジ部５ａを用いて水平軸２ｅに係合又は離脱するようにしているが、それぞれの床版部材５が水平軸２ｅに対して係合又は離脱できるようにしてもよい。そうすることで、シザーズ式伸縮橋１のサイズ調整が容易となる。
【００８４】
上記実施形態では、床版部材５は、下側にのみに設けたが、上側にも床版部材５に相当する部材を設けてもよい。上側の部材で天井側の全面を覆えるようにすれば、屋根付きのシザーズ式伸縮構造とすることができ、例えば雪国で有効である。また、例えば上側のみに床版部材５に相当するものを設けて車両等を通行できるようにしてもよく、その場合には、通行する車両の高さ制限は緩和される。
【００８５】
また、伸長方向先端側の水平軸２ｅに車輪を設ければ、連鎖シザーズ６をスムーズに展開できてよい。
【００８６】
なお、以上の実施形態は、本質的に好ましい例示であって、本発明、その適用物や用途の範囲を制限することを意図するものではない。
【産業上の利用可能性】
【００８７】
以上説明したように、本発明は、シザーズ式伸縮橋、仮設住宅、仮設テントなどのシザーズ式伸縮構造について有用である。
【符号の説明】
【００８８】
１      シザーズ式伸縮橋（シザーズ式伸縮構造）
２      フレーム部材
２ａ    ピン挿通孔
２ｂ    貫通孔
２ｃ    中心軸
２ｅ    水平軸
３      フレーム要素
４      サイドフレーム
５      床版部材
５ａ    ヒンジ部
５ｂ    対傾材
６      連鎖シザーズ
１０      架台フレーム
１１      ガイド部材
１２      ベース
１３      起伏シリンダ
１４      展開速度調整用シリンダ（展開速度調整手段、展開補助装置）
１５      第１スプロケット
１６      第２スプロケット
１７      展開用チェーン（展開速度調整手段、展開補助装置）
１８      固定部
１９      展開用シリンダ
１９ａ    アーム
２０      展開用シーブ
２１      手動式ウインチ（展開補助装置）
２２      ワイヤー
２３      展開補助装置
１０１      シザーズ式伸縮橋（シザーズ式伸縮構造）
１２０      展開用シーブ
１２２      ワイヤー
１３０      橋
２０１      シザーズ式伸縮橋（シザーズ式伸縮構造）
２３０      ポンツーン
２３１      水面
３３０      トレーラ
３３１      荷台
４０１      仮設住宅（シザーズ式伸縮構造）
４３０      膜
４３１      膜
５０１      太陽光（熱）利用システム（シザーズ式伸縮構造）
５３０      ミラー（太陽光パネル）
【図１】
2014145203.tif 000003
【図２】
2014145203.tif 000004
【図３】
2014145203.tif 000005
【図４】
2014145203.tif 000006
【図５】
2014145203.tif 000007
【図６】
2014145203.tif 000008
【図７】
2014145203.tif 000009
【図８】
2014145203.tif 000010
【図９】
2014145203.tif 000011
【図１０】
2014145203.tif 000012
【図１１】
2014145203.tif 000013
【図１２】
2014145203.tif 000014
【図１３】
2014145203.tif 000015
【図１４】
2014145203.tif 000016
【図１５】
2014145203.tif 000017
【図１６】
2014145203.tif 000018